(57)【要約】      （修正有）【課題】組立時、使用時を問わずブレードが変形し難いプラグアセンブリ、およびそのプラグアセンブリを構成する差込プラグおよび変換プラグを提供する。【解決手段】変換プラグ１１に、立設状態にある一対のブレード双方を差込プラグ１０への装着時に外方から挟んで一対のブレード１０１を一対の差込口１１２に案内する一対の案内突起１１３を設ける。また、プラグ本体には、立設状態における一対のブレード１０１それぞれに隣接した位置に、一対の案内突起１１３を収容する一対の収容凹部を設ける。組立時には、作業者が特に意識をしなくても上記案内突起１１３により一対のブレード１０１が一対の差込口１１２に自然と導かれるようにし、組立後においては案内突起１１３を収容凹部に収容してその案内突起１１３で一対のブレード１０１を覆って保護して一対のブレード１０１の変形を阻止する。【選択図】図１１
2010170950.tif 000002
【特許請求の範囲】
【請求項１】
互いに対面して立設し第１の仕様のコンセントに差し込まれる一対のブレードと、該一
対のブレードが収容される収容溝が形成されたプラグ本体と、該一対のブレードの一端側
を支持するとともに該プラグ本体に回動自在に支持され、該一対のブレードが該プラグ本
体から立設した立設状態と該一対のブレードが該収容溝に収容された収容状態との間で、
該一対のブレード双方を含む面内方向に９０°回動するブレード支持体とを有する差込プ
ラグと、
前記第１の仕様のコンセントとは仕様が異なる第２の仕様のコンセントに差し込まれる
複数本の差込突起と、前記立設状態にある前記一対のブレードが差し込まれる一対の差込
口とを有し、該一対の差込口に該一対のブレードが差し込まれることによって前記差込プ
ラグに装着され前記差込突起が前記第２の仕様のコンセントから受けた電力を前記ブレー
ドに伝える変換プラグとを有し、
前記変換プラグが、前記立設状態にある前記一対のブレード双方を前記差込プラグへの
装着時に外方から挟んで該一対のブレードを前記一対の差込口に案内する一対の案内突起
を有し、
前記プラグ本体が、前記立設状態における前記一対のブレードそれぞれに隣接した位置
に、前記一対の案内突起を収容する一対の収容凹部を有することを特徴とするプラグアセ
ンブリ。
【請求項２】
前記収容溝が、前記一対の収容凹部のうちの一方の収容凹部を兼ねていることを特徴と
する請求項１記載のプラグアセンブリ。
【請求項３】
前記変換プラグおよび前記プラグ本体が、該変換プラグが前記差込プラグに装着された
際に互いに係止する、それぞれ、変換プラグ側係止部およびプラグ本体側係止部を有する
ことを特徴とする請求項１又は２記載のプラグアセンブリ。
【請求項４】
互いに対面して立設し第１の仕様のコンセントに差し込まれる一対のブレードと、該一
対のブレードが収容される収容溝が形成されたプラグ本体と、該一対のブレードの一端側
を支持するとともに該プラグ本体に回動自在に支持され、該一対のブレードが該プラグ本
体から立設した立設状態と該一対のブレードが該収容溝に収容された収容状態との間で、
該一対のブレード双方を含む面内方向に９０°回動するブレード支持体とを有し、
前記第１の仕様のコンセントとは仕様が異なる第２の仕様のコンセントに差し込まれる
複数本の差込突起と、前記立設状態にある前記一対のブレードが差し込まれる一対の差込
口と、該一対の差込口に該一対のブレードが差し込まれる際に該立設状態にある該一対の
ブレード双方を外方から挟んで該一対のブレードを該一対の差込口に案内する一対の案内
突起とを有し、該一対の差込口に該一対のブレードが差し込まれた状態で該複数本の差込
突起が該第２の仕様のコンセントに差し込まれることによって該差込突起が該第２の仕様
のコンセントから受けた電力を該ブレードに伝える変換プラグが装着される差込プラグで
あって、
前記プラグ本体が、前記立設状態における前記一対のブレードそれぞれに隣接した位置
に、前記一対の案内突起を収容する収容凹部を有することを特徴とする差込プラグ。
【請求項５】
互いに対面して立設し第１の仕様のコンセントに差し込まれる一対のブレードと、該一
対のブレードが収容される収容溝が形成されたプラグ本体と、該一対のブレードの一端側
を支持するとともに該プラグ本体に回動自在に支持され、該一対のブレードが該プラグ本
体から立設した立設状態と該一対のブレードが該収容溝に収容された収容状態との間で、
該一対のブレード双方を含む面内方向に９０°回動するブレード支持体とを有する差込プ
ラグに装着され、前記第１の仕様のコンセントとは仕様が異なる第２の仕様のコンセント
から電力を受けて該電力を前記ブレードに伝える変換プラグであって、
前記第２の仕様のコンセントに差し込まれる複数本の差込突起と、前記立設状態にある
前記一対のブレードが差し込まれる一対の差込口と、前記立設状態にある前記一対のブレ
ード双方を前記差込プラグへの装着時に外方から挟んで該一対のブレードを前記一対の差
込口に案内する一対の案内突起とを有することを特徴とする変換プラグ。
【発明の詳細な説明】
【技術分野】
【０００１】
本発明は、差込プラグと変換プラグとからなるプラグアセンブリ、およびそのプラグア
センブリを構成する差込プラグおよび変換プラグに関する。
【背景技術】
【０００２】
コンセントの仕様、つまりコンセントの差込口の形状は世界に何種類も存在する。輸出
向けの製品を製造する場合に、各仕向け先ごとにその仕向け先の仕様にあったプラグを製
品に搭載して輸出したり、あるいは特許文献１や２にあるような変換プラグを仕向け先ご
とに配備して輸出したりしている。
【先行技術文献】
【特許文献】
【０００３】
【特許文献１】米国特許第５６１３８６３号明細書
【特許文献２】特開２００７−５２９９８号公報
【発明の概要】
【発明が解決しようとする課題】
【０００４】
ここで、製造業者がプラグを製造するにあたっては、コンセントの仕様ごとに別々のプ
ラグを独立に製造するよりも、１つのコンセントの仕様に適合した差込プラグと、その差
込プラグのアダプタとして使用される、別のコンセントの仕様に適合した変換プラグとを
組み立てた方が割安になる。これは、差込プラグには通常ＡＣ−ＤＣ変換回路や過電流防
止回路など様々な回路が搭載される場合も多く、こういった回路は１種類の差込プラグに
のみ搭載し、変換プラグは仕様の異なるコンセントに対処するためだけのものとした方が
全体としてコストダウンとなることが多いからである。
【０００５】
このため、差込プラグと変換プラグとを組み立てて双方を連結固定した後のプラグアセ
ンブリを輸出する構成にすると、より低価格でプラグアセンブリを提供することが可能と
なる。
【０００６】
ここで、差込プラグと変換プラグとからなるプラグアセンブリを構成する場合に重要な
ことは、変換プラグを差込プラグに差し込む時に特別に注意を払わなくても不用意な力が
加わってコンセントに差し込まれるブレード等を曲げてしまうことがないようにすること
や、差込プラグに変換プラグを装着した後は差込プラグと変換プラグとが一体的になり、
例えば変換プラグが何かにぶつかっても差込プラグと変換プラグとの間にガタが生じたり
、ブレードが変形したりしないようにすることである。
【０００７】
本発明は、上記事情に鑑み、組立時、使用時を問わずにブレードが変形し難い構造を持
つプラグアセンブリ、およびそのプラグアセンブリを構成する差込プラグおよび変換プラ
グを提供することを目的とするものである。
【課題を解決するための手段】
【０００８】
上記目的を達成する本発明のプラグアセンブリは、互いに対面して立設し第１の仕様の
コンセントに差し込まれる一対のブレードと、その一対のブレードが収容される収容溝が
形成されたプラグ本体と、その一対のブレードの一端側を支持するとともにそのプラグ本
体に回動自在に支持され、その一対のブレードがそのプラグ本体から立設した立設状態と
その一対のブレードがその収容溝に収容された収容状態との間で、その一対のブレード双
方を含む面内方向に９０°回動するブレード支持体とを有する差込プラグと、
上記第１の仕様のコンセントとは仕様が異なる第２の仕様のコンセントに差し込まれる
複数本の差込突起と、上記立設状態にある上記一対のブレードが差し込まれる一対の差込
口とを有し、該一対の差込口に該一対のブレードが差し込まれることによって上記差込プ
ラグに装着され上記差込突起が上記第２の仕様のコンセントから受けた電力を上記ブレー
ドに伝える変換プラグとを有し、
上記変換プラグが、上記立設状態にある上記一対のブレード双方を上記差込プラグへの
装着時に外方から挟んで該一対のブレードを上記一対の差込口に案内する一対の案内突起
を有し、
上記プラグ本体が、上記立設状態における上記一対のブレードそれぞれに隣接した位置
に、上記一対の案内突起を収容する一対の収容凹部を有することを特徴とする。
【０００９】
上記本発明のプラグアセンブリによれば、組立時においては、作業者によって変換プラ
グが差込プラグに装着されるときに、上記一対の案内突起が上記一対のブレードを外方か
ら挟んでその一対のブレードを案内してその一対のブレードを上記一対の差込口に自然に
導く。このため、作業者による組立時においては一対のブレードの姿勢が上記一対の案内
突起によって位置規制され一対のブレードに不用意な力が加えられることが防止されてブ
レードが変形することが回避される。
【００１０】
また、使用時においては、上記案内突起が上記収容凹部に収容されその案内突起がブレ
ードを覆う保護壁の役目を果たすので、落下や衝突による衝撃が加えられてもブレードに
までその衝撃が加えられることが回避される。このため、プラグアセンブリが組み立てら
れた後の使用時においてもブレードが変形し難くなる。
【００１１】
ここで、上記収容溝が、上記一対の収容凹部のうちの一方の収容凹部を兼ねていること
が好ましい。
【００１２】
そうすると、上記プラグアセンブリを構成する差込プラグの構造が簡素化される。この
構造の簡素化は更なるコストダウンを可能にする。
【００１３】
また、上記変換プラグおよび上記プラグ本体が、その変換プラグが上記差込プラグに装
着された際に互いに係止する、それぞれ、変換プラグ側係止部およびプラグ本体側係止部
を有することが好ましい。
【００１４】
そうすると、上記変換プラグが上記差込プラグに装着された際にその変換プラグとその
差込プラグのプラグ本体とが、それぞれ変換プラグ側係止部およびプラグ本体側係止部で
係止されて堅く連結されることにより堅牢な構造が得られる。
【００１５】
また、上記プラグアセンブリを構成する、上記目的を達成する本発明の差込プラグは、
互いに対面して立設し第１の仕様のコンセントに差し込まれる一対のブレードと、その一
対のブレードが収容される収容溝が形成されたプラグ本体と、その一対のブレードの一端
側を支持するとともにそのプラグ本体に回動自在に支持され、その一対のブレードがその
プラグ本体から立設した立設状態とその一対のブレードがその収容溝に収容された収容状
態との間で、その一対のブレード双方を含む面内方向に９０°回動するブレード支持体と
を有し、
上記第１の仕様のコンセントとは仕様が異なる第２の仕様のコンセントに差し込まれる
複数本の差込突起と、上記立設状態にある上記一対のブレードが差し込まれる一対の差込
口と、その一対の差込口にその一対のブレードが差し込まれる際にその立設状態にあるそ
の一対のブレード双方を外方から挟んでその一対のブレードを上記一対の差込口に案内す
る一対の案内突起とを有し、その一対の差込口にその一対のブレードが差し込まれた状態
でその複数本の差込突起がその第２の仕様のコンセントに差し込まれることによってその
差込突起がその第２の仕様のコンセントから受けた電力をそのブレードに伝える変換プラ
グが装着される差込プラグであって、
上記プラグ本体が、上記立設状態における上記一対のブレードそれぞれに隣接した位置
に、上記一対の案内突起を収容する収容凹部を有することを特徴とし、
上記プラグアセンブリを構成する、上記目的を達成する本発明の変換プラグは、
互いに対面して立設し第１の仕様のコンセントに差し込まれる一対のブレードと、その
一対のブレードが収容される収容溝が形成されたプラグ本体と、その一対のブレードの一
端側を支持するとともにそのプラグ本体に回動自在に支持され、その一対のブレードがそ
のプラグ本体から立設した立設状態とその一対のブレードがその収容溝に収容された収容
状態との間で、その一対のブレード双方を含む面内方向に９０°回動するブレード支持体
とを有する差込プラグに装着され、上記第１の仕様のコンセントとは仕様が異なる第２の
仕様のコンセントから電力を受けて該電力を上記ブレードに伝える変換プラグであって、
上記第２の仕様のコンセントに差し込まれる複数本の差込突起と、上記立設状態にある
上記一対のブレードが差し込まれる一対の差込口と、上記立設状態にある上記一対のブレ
ード双方を上記差込プラグへの装着時に外方から挟んでその一対のブレードを上記一対の
差込口に案内する一対の案内突起とを有することを特徴とする。
【発明の効果】
【００１６】
上記本発明によれば、低廉であって組立時、使用時を問わずにブレードが変形し難いプ
ラグアセンブリ、およびそのプラグアセンブリを構成する差込プラグおよび変換プラグが
実現する。
【図面の簡単な説明】
【００１７】
【図１】複数種類の変換プラグ１１、１１Ａ、１１Ｂと、日本向けの差込プラグ１０とを示す図である。
【図２】差込プラグ１０の外観を示す図である。
【図３】差込プラグ１０の外観を示す図である。
【図４】差込プラグ１０の外観を示す図である。
【図５】変換プラグ１１の構造を示す図である。
【図６】変換プラグ１１の構造を示す図である。
【図７】変換プラグ１１の構造を示す図である。
【図８】変換プラグ１１の構造を示す図である。
【図９】プラグアセンブリを示す図である。
【図１０】図９のプラグアセンブリを、変換プラグが備える複数本の突起１１１側から見た図である。
【図１１】変換プラグ１１が差込プラグ１０のプラグ本体１００に差し込まれてプラグアセンブリ１が組立てられる前の時点の内部構造を示す図である。
【図１２】変換プラグ１１が差込プラグ１０のプラグ本体１００に差し込まれてプラグアセンブリ１が組立てられた後の時点の内部構造を示す図である。
【発明を実施するための形態】
【００１８】
以下図面を参照して本発明の実施の形態を説明する。
【００１９】
図１は、互いに異なる仕様のコンセントに差し込まれる複数種類の変換プラグ１１、１
１Ａ、１１Ｂと、日本向けの差込プラグ１０とを示す図である。複数種類の変換プラグ１
１，１１Ａ、１１Ｂは、異なる３つの仕向け先の仕様にそれぞれ適合するものである。こ
れらの変換プラグ１１、１１Ａ、１１Ｂのいずれかが、日本向けの差込プラグ１０に差し
込まれた後で連結固定されてプラグアセンブリが組み立てられる。以降においては、第２
の仕様のコンセントに差し込まれる変換プラグを符号１１の変換プラグであるとして説明
する。また第１の仕様のコンセントに差し込まれる差込プラグ１０は日本向けの差込プラ
グであるとして説明する。
【００２０】
まず、第１の仕様のコンセントに差し込まれる、本発明にいう差込プラグの一例に相当
する日本向けの差込プラグ１０の構成を説明する。
【００２１】
図２から図４は、差込プラグ１０の外観を示す図である。
【００２２】
図２（ａ）には、１対のブレード１０１が立設した状態が示されており、図２（ｂ）に
はその１対のブレード１０１が差込プラグ本体１００の収容溝１０２に収容された状態が
示されている。また、図３には、図２（ａ）の差込プラグ１０を上方から見た図と側方か
ら見た図がそれぞれ示されており、図４には、図２（ｂ）の差込プラグ１０を上方と側方
とから見た図がそれぞれ示されている。
図２（ａ）には、互いに対面して立設し第１の仕様ここでは日本の仕様にあったコンセン
トに差し込まれる一対のブレード１０１を有する差込プラグ１０が示されている。
この差込プラグ１０には、図３に示す様に一対のブレード１０１が収容される収容溝１０
２が形成されたプラグ本体１００が備えられており、その一対のブレード１０１は、図４
に示す様にブレード支持体１０３に支持されている。そのブレード支持体１０３は、一対
のブレード１０１の一端側を支持してプラグ本体１００に回動自在に支持されている。
【００２３】
このため、一対のブレード１０１は、プラグ本体１００から立設した立設状態（図２（
ａ）参照）と収容溝１０２に収容された収容状態（図２（ｂ）参照）との間で、一対のブ
レード双方を含む面内方向に９０°回動する。
【００２４】
また図３に示す収容溝１０２は、本発明にいう一対の収容凹部のうちの一方の収容凹部
１０２Ｂを兼ねており、この一方の収容凹部の、一対のブレード１０１を挟んだ反対側に
は他方の収容凹部１０２Ａが設けられている。後述の変換プラグ１１が差込プラグ１０に
差し込まれてプラグアセンブリが組み立てられたときには、これらの収容凹部１０２Ａ，
１０２Ｂにその変換プラグ１１が備える案内突起が収容される。本実施形態では、こうし
て収容凹部のうちの一方の収容凹部１０２Ｂが収容溝１０２と兼用されて構造の簡素化が
図られた例が示されている。
【００２５】
なお詳細は後述するが、差込プラグ１０のプラグ本体１００には、変換プラグ１１との
間の確実な連結を得るために、変換プラグ側の凸部が係止される凹部１０４（図２〜図４
参照）が設けられている。この凹部１０４が、本発明にいうプラグ本体側係止部の一例に
相当する。なお、詳細は後述するが、本実施形態のプラグ本体１００には、もう一つの係
止部が設けられている。
【００２６】
次に図１の変換プラグ１１の構造を説明する。なお、他のもの１１Ａ，１１Ｂもこの符
号１１の変換プラグ１１の構造と同等の構造を有する。
【００２７】
図５〜図７は、その変換プラグ１１の構造を示す図であり、図８は、変換プラグ１１が
差込プラグ１０に差し込まれる前の状態を示す図であり、図９は、変換プラグ１１が差込
プラグ１０に差し込まれた後のプラグアセンブリ１を示す図である。
【００２８】
図５には、変換プラグ１１を、この変換プラグ１１が差し込まれる差込プラグ１０側か
ら見た斜視図が示されている。また図６には、差込突起１１１を側面にした状態の変換プ
ラグ１１を正面から見た正面図が中央に示され、その両側にそれぞれ左側面図と右側面図
とが示されている。さらに右側面図の下方には、右側面図に示されている変換プラグ１１
を側方から見た側面図が示されている。また図７には、変換プラグ１１の内部構造のうち
のリブ１１６が抜粋して示されている。
【００２９】
さらに図８には、図５から図７の変換プラグ１１が差込プラグ１０に差し込まれてプラ
グアセンブリ１が組み立てられるということが示されている。さらに図９には、変換プラ
グ１１が差込プラグ１０に装着され組み立てられた後のプラグアセンブリ１が示されてい
る。
【００３０】
変換プラグ１１には、図５〜図７に示す様に、第１の仕様のコンセントとは異なる第２
の仕様のコンセントに差し込まれる複数本の差込突起１１１が一方の側に備えられ、その
差込突起１１１が設けられている側とは反対の側には、立設状態にある一対のブレード１
０１が差し込まれる一対の差込口１１２が備えられている。この一対の差込口１１２に差
込プラグ１０の一対のブレード１０１が差し込まれることによって差込プラグ１０に変換
プラグ１１が装着される。
【００３１】
ここで、本発明の特徴になる変換プラグ１１の構造を図５から図７を参照して詳細に説
明する。
【００３２】
この変換プラグ１１には、図５、図６に示す様に、立設状態にある一対のブレード１０
１双方を差込プラグ１０への装着時に外方から挟んで一対のブレード１０１を一対の差込
口１１２に案内する一対の案内突起１１３が備えられている。
【００３３】
この一対の案内突起１１３が備えられていると、変換プラグ１１が差込プラグ１０に差
し込まれる際のブレード１０１の姿勢がその案内突起１１３により規制されて変換プラグ
１１の差込口１１２に差込プラグ１０側のブレード１０１が自然と案内されて差し込まれ
るようになる。この様な構成にすると作業者が変換プラグ１１を差込プラグ１０に装着す
る際にブレード１０１に不用意な力が加えられることがほぼなくなる。
【００３４】
プラグ本体１００には、図３に示してある様に立設状態における一対のブレード１０１
それぞれに隣接した位置に、変換プラグ１１側の一対の案内突起１１３を収容する収容凹
部１０２Ａ，１０２Ｂが設けられており、この収容凹部１０２Ａ，１０２Ｂに図５、図６
に示す一対の案内突起１１３は収容される。
【００３５】
このため、変換プラグ１１が差込プラグ１０のプラグ本体１００に装着された後におい
ては、これらの案内突起１１３が収容凹部１０２Ａ，１０２Ｂに収容された状態になって
一対のブレード１０１を覆って保護することとなる。その結果ブレード１０１の周辺の強
度がこれらの案内突起１１３により増強され落下や衝突などの力を受けても案内突起１１
３が保護壁となって働いてブレード１０１の変形が防止される。
【００３６】
この一対の案内突起１１３は、上記案内作用および上記保護作用の他に、予期せぬ状況
において変換プラグ１１が差込プラグ１０より外れた場合、変換プラグ１１に差込プラグ
１０の一対のブレードと同形状のブレードを持つ他の製品のブレードが差し込まれること
を防ぐ役割を兼ねており、想定外での使用における不具合を防ぐという作用も担っている
。
【００３７】
また、この変換プラグ１１のケース１１０は例えば弾力性のある樹脂等で構成されてお
り、図５に示す様に、変換プラグ１１のケース１１０には、差込プラグ１０のプラグ本体
１００側の凹部１０４（図３参照）や不図示の凹部に係止される凸部１１４，１１５が２
箇所設けられている。これらが差込プラグ１０のプラグ本体１００側の凹部１０４等に弾
性変形を伴って係止されて変換プラグ１１が差込プラグ１０のプラグ本体１００に堅く連
結される。これらの凸部１１４、１１５が、本発明にいう変換プラグ側係止部の一例に相
当する。
【００３８】
さらに、図７に示す様に、変換プラグ１１の内部には、複数本の差込突起１１１のうち
、電力を受け取る導電部材となる平行な２本の差込突起１１１が電気的に短絡することを
防止する仕切り板の役目を果たすリブ１１６が設けられている。
【００３９】
こうして変換プラグ１１が差込プラグ１０に装着されて図９に示すプラグアセンブリ１
が組み立てられる。
【００４０】
この図９の構造においては、特許文献１のものに比べて、差込プラグ１０に対する変換
プラグ１１の一方の側への偏倚量が小さく抑えられ差込プラグ１０と変換プラグ１１とが
一体的になるように構成されている。このため使用時に図９のプラグアセンブリ１を落と
したり、また図９のプラグアセンブリ１を壁にぶつけるようなことがあっても差込プラグ
１０の一対のブレード１０１に対して加えられるモーメントが小さく抑えられブレードの
変形が防止される。
【００４１】
最後に変換プラグ１１と差込プラグ１０を連結した後、それらの連結を強固なものにす
るための係合部の構造を説明する。さらに仕様の異なるコンセントからの電力を一対のブ
レード１０１に伝える導電部の構成もあわせて説明する。
【００４２】
図１０は、図９のプラグアセンブリ１を、変換プラグ１１が備える複数本この例では３
本の突起１１１側から見た図である。この図１０には、この図１０の断面を視る位置Ａ−
Ａと、別の断面を視る位置Ｂ−Ｂとが示されている。
【００４３】
図１１は、変換プラグ１１が差込プラグ１０のプラグ本体１００に差し込まれてプラグ
アセンブリ１が組立てられる前の時点の内部構造を示す図である。図１１（ａ）には、変
換プラグ１１が差込プラグ１０のプラグ本体１００に差し込まれてプラグアセンブリ１が
組立てられる前の時点のＡ―Ａ矢視図が示されており、図１１（ｂ）には、変換プラグ１
１が差込プラグ１０のプラグ本体１００に差し込まれてプラグアセンブリ１が組み立てら
れる前の時点のＢ―Ｂ矢視図が示されている。
【００４４】
また、図１２は、変換プラグ１１が差込プラグ１０のプラグ本体１００に差し込まれて
プラグアセンブリ１が組立てられた後の時点の内部構造を示す図である。
【００４５】
図１２（ａ）には、変換プラグ１１が差込プラグ１０のプラグ本体１００に差し込まれ
てプラグアセンブリ１が組み立てられた後の時点のＡ―Ａ矢視図が示されており、図１２
（ｂ）には、変換プラグ１１が差込プラグ１０のプラグ本体１００に差し込まれてプラグ
アセンブリ１が組み立てられた後の時点のＢ―Ｂ矢視図が示されている。
【００４６】
まず、図１１（ａ）と図１２（ａ）を参照してプラグアセンブリ１が組立てられる前の
差込プラグ１０と変換プラグ１１の内部状態を、Ａ−Ａ矢視方向から見た断面の構造とＢ
―Ｂ矢視方向から見た断面の構造とを参照しながら説明する。
【００４７】
図１１（ａ）、図１２（ａ）に示す様に、変換プラグ１１の一方の側（図の上方）には
、第２の仕様のコンセントに差し込まれる差込突起１１１が突出しており、その側とは反
対の側には、差込プラグ１０の一対のブレード１０１が差し込まれる差込口１１２が設け
られている。この差込口１１２に差込プラグ１０の一対のブレード１０１が差し込まれて
プラグアセンブリ１が組み立てられる。
【００４８】
これらの変換プラグ１１および差込プラグ１０のプラグ本体１００には、変換プラグ１
１が差込プラグ１０に装着された際に互いに係止する、それぞれ、本発明にいう変換プラ
グ側係止部の一例に相当する凸部１１４，１１５、および本発明にいうプラグ本体側係止
部の一例に相当する凹部１０４，１０５が備えられている。
【００４９】
これらについては、図１１（ａ）、図１２（ａ）に示す様に、変換プラグ１１が差込プ
ラグ１０に差し込まれる前においては何の変化も現われない。また、図１１（ａ）、図１
２（ａ）の状態においては、複数本の差込突起１１１から変換プラグ１１の内部に延びて
いる導電材１１１ａと、差込プラグ１０側のブレード１０１の状態にも何の変化もなく、
ブレード１０１と導電部材１１１ａとは非接触状態になっている。
【００５０】
その後、作業者によってプラグアセンブリの組立が進められて変換プラグ１１が差込プ
ラグ１０に差し込まれていくと前述のように案内突起１１３によってブレード１０１が差
込口１１２に自然と案内される。そして作業者によってさらに組立が進められて変換プラ
グ１１が差込プラグ１０に完全に差し込まれると、図１１（ｂ）、図１２（ｂ）に示す状
態になる。
【００５１】
こうして変換プラグ１１が差込プラグ１０に完全に差し込まれると、図１１（ｂ）、図
１２（ｂ）に示す様に、変換プラグ１１側の凸部１１４，１１５が差込プラグ１０のプラ
グ本体１００側の凹部１０４，１０５に係止されることにより変換プラグ１１が差込プラ
グ１０のプラグ本体１００に強固に連結される。
【００５２】
また変換プラグ１１が差込プラグ１０に差し込まれていく過程においては板バネ状の導
電材１１１ａがブレード１０１の進行に伴って外側に押し広げられた状態になって、その
後ブレード１０１が完全に差込口１１２に差し込まれると、その板バネ状の導電材１１１
ａがブレード１０１の側面を押すように接して第２の仕様のコンセントからの電力がブレ
ード１０１に伝えられる。こうして、プラグアセンブリ１が組み立てられる。
【００５３】
この組み立てられた後のプラグアセンブリ１は、ユーザが使用している最中に落とすよ
うなことがあっても、案内突起１１３でブレード１０１が保護されていることと、変換プ
ラグ１１のプラグ本体１００に対する偏倚量が小さくされ差込プラグ１０と変換プラグ１
１とが一体的に構成されていることとの２つの理由によりブレード１０１が変形すること
がほぼ完全に回避される。
【００５４】
以上説明した様に、低廉であって、しかも組立時、使用時を問わずにブレードが変形し
難いプラグアセンブリ、およびそのプラグアセンブリを構成する差込プラグおよび変換プ
ラグが実現する。
【符号の説明】
【００５５】
１  プラグアセンブリ  
１０  差込プラグ
１００    プラグ本体
１０１    一対のブレード
１０２    収容溝
１１  １１Ａ  １１Ｂ  変換プラグ
１１１    差込突起
１１２    差込口
１１３    案内突起    
【図１】
2010170950.tif 000003
【図２】
2010170950.tif 000004
【図３】
2010170950.tif 000005
【図４】
2010170950.tif 000006
【図５】
2010170950.tif 000007
【図６】
2010170950.tif 000008
【図７】
2010170950.tif 000009
【図８】
2010170950.tif 000010
【図９】
2010170950.tif 000011
【図１０】
2010170950.tif 000012
【図１１】
2010170950.tif 000013
【図１２】
2010170950.tif 000014
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
互いに対面して立設し第１の仕様のコンセントに差し込まれる一対のブレードと、該一対のブレードが収容される収容溝が形成されたプラグ本体と、該一対のブレードの一端側を支持するとともに該プラグ本体に回動自在に支持され、該一対のブレードが該プラグ本体から立設した立設状態と該一対のブレードが該収容溝に収容された収容状態との間で、該一対のブレード双方を含む面内方向に９０°回動するブレード支持体とを有する差込プラグと、
前記第１の仕様のコンセントとは仕様が異なる第２の仕様のコンセントに差し込まれる複数本の差込突起と、前記立設状態にある前記一対のブレードが差し込まれる一対の差込口とを有し、該一対の差込口に該一対のブレードが差し込まれることによって前記差込プラグに装着され前記差込突起が前記第２の仕様のコンセントから受けた電力を前記ブレードに伝える変換プラグとを有し、
前記変換プラグが、前記立設状態にある前記一対のブレード双方を前記差込プラグへの装着時に外方から挟んで該一対のブレードを前記一対の差込口に案内する一対の案内突起を有し、
前記プラグ本体が、前記立設状態における前記一対のブレードそれぞれに隣接した位置に、前記一対の案内突起を収容する一対の収容凹部を有し、
前記収容溝が、前記一対の収容凹部のうちの一方の収容凹部を兼ねていることを特徴とするプラグアセンブリ。
【請求項２】
前記変換プラグおよび前記プラグ本体が、該変換プラグが前記差込プラグに装着された際に互いに係止する、それぞれ、変換プラグ側係止部およびプラグ本体側係止部を有することを特徴とする請求項１記載のプラグアセンブリ。
【請求項３】
前記プラグ本体側係止部が、前記収容溝に兼ねられた凹部であり、
前記変換プラグ側係止部が、前記凹部に係止する凸部であることを特徴とする請求項２記載のプラグアセンブリ。
【請求項４】
互いに対面して立設し第１の仕様のコンセントに差し込まれる一対のブレードと、該一対のブレードが収容される収容溝が形成されたプラグ本体と、該一対のブレードの一端側を支持するとともに該プラグ本体に回動自在に支持され、該一対のブレードが該プラグ本体から立設した立設状態と該一対のブレードが該収容溝に収容された収容状態との間で、該一対のブレード双方を含む面内方向に９０°回動するブレード支持体とを有し、
前記第１の仕様のコンセントとは仕様が異なる第２の仕様のコンセントに差し込まれる複数本の差込突起と、前記立設状態にある前記一対のブレードが差し込まれる一対の差込口と、該一対の差込口に該一対のブレードが差し込まれる際に該立設状態にある該一対のブレード双方を外方から挟んで該一対のブレードを該一対の差込口に案内する一対の案内突起とを有し、該一対の差込口に該一対のブレードが差し込まれた状態で該複数本の差込突起が該第２の仕様のコンセントに差し込まれることによって該差込突起が該第２の仕様のコンセントから受けた電力を該ブレードに伝える変換プラグが装着される差込プラグであって、
前記プラグ本体が、前記立設状態における前記一対のブレードそれぞれに隣接した位置に、前記一対の案内突起を収容する収容凹部を有し、
前記収容溝が、前記一対の収容凹部のうちの一方の収容凹部を兼ねていることを特徴とする差込プラグ。
【請求項５】
前記変換プラグおよび前記プラグ本体が、該変換プラグが前記差込プラグに装着された際に互いに係止する、それぞれ、変換プラグ側係止部およびプラグ本体側係止部を有することを特徴とする請求項４記載の差込プラグ。
【請求項６】
前記プラグ本体側係止部が、前記収容溝に兼ねられた凹部であり、
前記変換プラグ側係止部が、前記凹部に係止する凸部であることを特徴とする請求項５記載の差込プラグ。
【請求項７】
互いに対面して立設し第１の仕様のコンセントに差し込まれる一対のブレードと、該一対のブレードが収容される収容溝が形成されたプラグ本体と、該一対のブレードの一端側を支持するとともに該プラグ本体に回動自在に支持され、該一対のブレードが該プラグ本体から立設した立設状態と該一対のブレードが該収容溝に収容された収容状態との間で、該一対のブレード双方を含む面内方向に９０°回動するブレード支持体とを有する差込プラグに装着され、前記第１の仕様のコンセントとは仕様が異なる第２の仕様のコンセントから電力を受けて該電力を前記ブレードに伝える変換プラグであって、
前記第２の仕様のコンセントに差し込まれる複数本の差込突起と、前記立設状態にある前記一対のブレードが差し込まれる一対の差込口と、前記立設状態にある前記一対のブレード双方を前記差込プラグへの装着時に外方から挟んで該一対のブレードを前記一対の差込口に案内する一対の案内突起であって、前記プラグ本体の、前記立設状態における前記一対のブレードそれぞれに隣接した位置に設けられた、一方が前記収容溝を兼ねる一対の収容凹部に収容される案内突起とを有することを特徴とする変換プラグ。
【請求項８】
前記変換プラグおよび前記プラグ本体が、該変換プラグが前記差込プラグに装着された際に互いに係止する、それぞれ、変換プラグ側係止部およびプラグ本体側係止部を有することを特徴とする請求項７記載の変換プラグ。
【請求項９】
前記プラグ本体側係止部が、前記収容溝に兼ねられた凹部であり、
前記変換プラグ側係止部が、前記凹部に係止する凸部であることを特徴とする請求項８記載の変換プラグ。
【手続補正２】
【補正対象書類名】明細書
【補正対象項目名】００４６
【補正方法】変更
【補正の内容】
【００４６】
まず、図１１（ａ）と図１１（ｂ）を参照してプラグアセンブリ１が組立てられる前の差込プラグ１０と変換プラグ１１の内部状態を、Ａ−Ａ矢視方向から見た断面の構造とＢ―Ｂ矢視方向から見た断面の構造とを参照しながら説明する。
【手続補正３】
【補正対象書類名】明細書
【補正対象項目名】００４７
【補正方法】変更
【補正の内容】
【００４７】
図１１（ａ）、図１１（ｂ）に示す様に、変換プラグ１１の一方の側（図の上方）には、第２の仕様のコンセントに差し込まれる差込突起１１１が突出しており、その側とは反対の側には、差込プラグ１０の一対のブレード１０１が差し込まれる差込口１１２が設けられている。この差込口１１２に差込プラグ１０の一対のブレード１０１が差し込まれてプラグアセンブリ１が組み立てられる。
【手続補正４】
【補正対象書類名】明細書
【補正対象項目名】００４９
【補正方法】変更
【補正の内容】
【００４９】
これらについては、図１１（ａ）、図１１（ｂ）に示す様に、変換プラグ１１が差込プラグ１０に差し込まれる前においては何の変化も現われない。また、図１１（ａ）、図１１（ｂ）の状態においては、複数本の差込突起１１１から変換プラグ１１の内部に延びている導電材１１１ａと、差込プラグ１０側のブレード１０１の状態にも何の変化もなく、ブレード１０１と導電部材１１１ａとは非接触状態になっている。
【手続補正５】
【補正対象書類名】明細書
【補正対象項目名】００５０
【補正方法】変更
【補正の内容】
【００５０】
その後、作業者によってプラグアセンブリの組立が進められて変換プラグ１１が差込プラグ１０に差し込まれていくと前述のように案内突起１１３によってブレード１０１が差込口１１２に自然と案内される。そして作業者によってさらに組立が進められて変換プラグ１１が差込プラグ１０に完全に差し込まれると、図１２（ａ）、図１２（ｂ）に示す状態になる。
【手続補正６】
【補正対象書類名】明細書
【補正対象項目名】００５１
【補正方法】変更
【補正の内容】
【００５１】
こうして変換プラグ１１が差込プラグ１０に完全に差し込まれると、図１２（ａ）、図１２（ｂ）に示す様に、変換プラグ１１側の凸部１１４，１１５が差込プラグ１０のプラグ本体１００側の凹部１０４，１０５に係止されることにより変換プラグ１１が差込プラグ１０のプラグ本体１００に強固に連結される。